(57)【要約】【課題】手を煩わせることなく記録媒体に記録された映像ファイルの再生を可能とすることで、利便性の高い映像ファイル再生装置を提供する。【解決手段】パーソナルコンピュータＰにより再生される映像ファイルとその再生スケジュールとが設定されたＵＳＢメモリＭ１を映像表示装置１へ実装することで、自動的に映像ファイルの更新と再生スケジュールの設定を行うことができる。映像表示装置１は、表示装置と映像ファイル再生装置とを備えている。映像ファイル再生装置は、映像ファイルが格納される記憶手段と、映像ファイルを表示装置に出力する映像再生手段と、ＵＳＢメモリＭ１が実装されたことを検知すると、映像ファイルを読み出して記憶手段に格納することで映像ファイルを更新すると共に、映像ファイルの更新を示す映像の再生を映像再生手段に指示した後に、映像ファイルの再生を映像再生手段に指示する映像管理手段とを備えている。【選択図】図１
2009225176.tif 000002
【特許請求の範囲】
【請求項１】
表示される映像ファイルが格納される記憶手段と、
前記記憶手段に格納された映像ファイルを表示装置に出力する映像再生手段と、
表示するための映像ファイルが格納された記録媒体が実装されたことを検知すると、前記記録媒体から映像ファイルを読み出して前記記憶手段に格納することで映像ファイルを更新すると共に、前記映像再生手段に、映像ファイルの更新を示す映像の再生を指示した後に、前記記憶手段に格納された映像ファイルの再生を指示する映像管理手段とを備えたことを特徴とする映像ファイル再生装置。
【請求項２】
前記映像管理手段は、前記映像再生手段に、前記映像ファイルの更新を示す映像の再生を指示した後に、映像の切り替わりのタイミングを示す映像の再生を指示する請求項１記載の映像ファイル再生装置。
【請求項３】
前記映像管理手段は、前記記録媒体に格納されたスケジュールファイルの再生予定情報に基づいて、前記記憶手段に格納された映像ファイルの再生を前記映像再生手段に指示する請求項１または２記載の映像ファイル再生装置。
【請求項４】
前記表示装置に表示される映像に重畳させて文字情報を表示するテロップ再生手段を備え、
前記映像管理手段は、記録媒体に格納されたテロップファイルを読み込み、前記テロップファイルが格納された記録媒体が実装されている間、前記テロップファイルに記録された文字情報の表示を前記テロップ表示手段に指示する請求項１から３のいずれかの項に記載の映像ファイル再生装置。
【請求項５】
記憶手段に格納された映像ファイルを再生する映像ファイル再生プログラムであって、
コンピュータを、
前記記憶手段に格納された映像ファイルを表示装置に出力する映像再生手段、
表示するための映像ファイルが格納された記録媒体が実装されたことを検知すると、前記記録媒体から映像ファイルを読み出して前記記憶手段に格納することで映像ファイルを更新すると共に、前記映像再生手段に、映像ファイルの更新を示す映像の再生を指示した後に、前記記憶手段に格納された映像ファイルの再生を指示する映像管理手段として機能させるための映像ファイル再生プログラム。
【発明の詳細な説明】
【技術分野】
【０００１】
本発明は、再生される映像ファイルを容易に変更することが可能な映像ファイル再生装置および映像ファイル再生プログラムに関する。
【背景技術】
【０００２】
映像ファイルを再生する映像ファイル再生装置として、特許文献１に記載されたものがある。この特許文献１に記載の映像ファイル再生装置は、計測される日時が、特定日から所定期間内であるか否かを判定し、所定期間内であると判定された場合には、対応するファイル特定情報に基づき、ハードディスク装置に格納された映像ファイルを特定して、映像ファイルの再生開始を指示することで、ユーザが予め指定（選択）した映像ファイルを、自動再生することができるものである。そして、特許文献１には、映像ファイル再生装置の一例としてＤＶＤレコーダが記載されている。
【０００３】
【特許文献１】特開２００７−１５０５４８号公報
【発明の開示】
【発明が解決しようとする課題】
【０００４】
この特許文献１に記載の映像ファイル再生装置では、再生される映像ファイルをハードディスク装置内に予め格納しておく必要があるので、記録媒体であるＤＶＤに映像ファイルが格納されているときには手動で映像ファイルをダビングする必要がある。そして、所望とする特定日に映像ファイルを再生するためには、再生予約設定を行うことが必要である。これら一連の操作は、家庭用のＤＶＤレコーダだからこそできる作業である。従って、この作業が頻繁に発生すると大変煩雑である。
【０００５】
ところで、大画面を備えた映像ファイル再生装置は、通行人や買い物客、その他の観察者などにイメージ映像や広告映像を見せることで映像の内容を伝える度合いが高いので、人通りの多い街頭や店頭、またはイベント会場などに配置される宣伝ツールとしては好適である。イメージ映像や広告映像は、所定の期間内であれば複数の映像ファイルが連続して表示されているが、１週間が経過したタイミングや、季節が変わったタイミング、またはイベントやクリスマス、正月などの特定の日が過ぎれば、次の新たな映像に切り替える必要がある。
【０００６】
従って、映像ファイルが記録された記録媒体を映像ファイル再生装置にセットすると、この映像ファイルが自動的に読み出されると共に、再生されていた映像ファイルの代わりに、読み込まれた映像ファイルが自動的に再生される利便性の高い映像ファイル再生装置が望まれている。
【０００７】
そこで本発明は、手を煩わせることなく記録媒体に記録された映像ファイルの再生を可能とすることで、利便性の高い映像ファイル再生装置を提供することを目的とする。
【課題を解決するための手段】
【０００８】
本発明の映像ファイル再生装置は、表示される映像ファイルが格納される記憶手段と、前記記憶手段に格納された映像ファイルを表示装置に出力する映像再生手段と、表示するための映像ファイルが格納された記録媒体が実装されたことを検知すると、前記記録媒体から映像ファイルを読み出して前記記憶手段に格納することで映像ファイルを更新すると共に、前記映像再生手段に、映像ファイルの更新を示す映像の再生を指示した後に、前記記憶手段に格納された映像ファイルの再生を指示する映像管理手段とを備えたことを特徴とする。
【０００９】
また、本発明の映像ファイル再生プログラムは、記憶手段に格納された映像ファイルを再生する映像ファイル再生プログラムであって、コンピュータを、前記記憶手段に格納された映像ファイルを表示装置に出力する映像再生手段、表示するための映像ファイルが格納された記録媒体が実装されたことを検知すると、前記記録媒体から映像ファイルを読み出して前記記憶手段に格納することで映像ファイルを更新すると共に、前記映像再生手段に、映像ファイルの更新を示す映像の再生を指示した後に、前記記憶手段に格納された映像ファイルの再生を指示する映像管理手段として機能させることを特徴とする。
【００１０】
映像管理手段が、記録媒体が実装されたことを検出すると、記録媒体に格納された映像ファイルを記憶手段内の映像ファイルを更新すると共に映像ファイルが更新されることを示す映像の再生を再生手段に指示する。再生手段はこの指示により映像ファイルが更新されることを示す映像を表示装置に表示する。そして、映像管理手段が、記憶手段に格納された映像ファイルの再生を指示する。操作者は、更新されたことを示す映像が表示されたた後に映像ファイルに基づいた映像が表示されることで、記録媒体に格納された映像ファイルの読み込みが完了したことを知ることができる。つまり、映像ファイルの更新を行う操作者は、繋ぎ目無く映像が切り替わってしまうと、いつ記録媒体を取り出してよいかがわからないため、記録媒体の抜き取りに不安を感じてしまう。本発明では、映像ファイルが更新されることを示す映像が表示されるため、操作者は映像ファイルが格納された記録媒体を実装するだけで、映像ファイルの更新を行うことができ、かつ実装した記録媒体の抜き取りを安心して行うことができる。
【００１１】
前記映像管理手段は、前記映像再生手段に、前記映像ファイルの更新を示す映像の再生を指示した後に、前記映像の切り替わりのタイミングを示す映像の再生を指示するのが望ましい。
映像ファイルの更新を示す映像が再生された後に、映像の切り替わりのタイミングを示す映像が再生されることで、操作者は、映像ファイルの更新が完了し、映像の表示が再開されることを認識することができる。
【００１２】
前記映像管理手段は、前記記録媒体に格納されたスケジュールファイルの再生予定情報に基づいて、前記記憶手段に格納された映像ファイルの再生を前記映像再生手段に指示するのが望ましい。
スケジュールファイルの再生予定情報に基づいて映像ファイルの再生が行われるので、所望とする時間や日に所望とする映像ファイルを再生することができる。
【００１３】
前記表示装置に表示される映像に重畳させて文字情報を表示するテロップ表示手段を備え、前記映像管理手段は、記録媒体に格納されたテロップファイルを読み込み、前記テロップファイルが格納された記録媒体が実装されている間、前記テロップファイルに記録された文字情報の表示を前記テロップ表示手段に指示するのが望ましい。
テロップ表示手段が、テロップファイルが格納された記録媒体が実装されている間、テロップファイルに記録された文字情報の表示することで、急に文字情報を表示させたい場合でも迅速に対応することが可能である。
【発明の効果】
【００１４】
本発明は、操作者が映像ファイルが格納された記録媒体を実装するだけで、映像ファイルの更新を行うことができ、かつ実装した記録媒体の抜き取りを安心して行うことができるので、手を煩わせることなく記録媒体に記録された映像ファイルの再生が可能である。従って、本発明は、高い利便性を図ることができる。
【発明を実施するための最良の形態】
【００１５】
本発明の実施の形態に係る映像表示装置を図面に基づいて説明する。図１は、本発明の実施の形態に係る映像表示装置とパーソナルコンピュータとを示す図である。図２は、本発明の実施の形態に係る映像表示装置の構成を示すブロック図である。図３は、記憶手段に格納されたスケジュール情報を示す図である。
【００１６】
図１に示すように、本実施の形態に係る映像表示装置１は、パーソナルコンピュータＰにて設定された映像ファイルやテロップファイルをＵＳＢ（Universal Serial Bus）メモリＭ１，Ｍ２を介して読み込み、再生するものである。映像表示装置１は、図２に示すように、表示装置２と映像ファイル再生装置３とを備えている。
【００１７】
表示装置２は、入力した映像信号に基づいてＬＥＤ（Light Emitting Diode）がドットマトリクス状に配置された表示パネルＳ（図１参照）に映像を表示するもので、縦が約１ｍ、横が２ｍの表示面に、縦２５６個、横１２８個のＬＥＤが配列されている。
【００１８】
映像ファイル再生装置３は、映像ファイルやテロップファイルに基づいて表示装置２へ映像信号として出力するもので、映像再生プログラムを動作させることでコンピュータを映像ファイル再生装置３として機能させることができる。
映像ファイル再生装置３は、ＵＳＢポート３１と、記憶手段３２と、テロップ再生手段３３と、映像再生手段３４と、映像管理手段３５とを備えている。
【００１９】
ＵＳＢポート３１は、映像ファイルが格納されたＵＳＢメモリＭ１や、テロップファイルが格納されたＵＳＢメモリＭ２、または他のＵＳＢ機器と接続するための接続コネクタである。
【００２０】
記憶手段３２は、映像ファイルやスケジュール情報などが格納される不揮発性メモリである。この記憶手段３２には、映像ファイル再生プログラムも格納されている。記憶手段３２としては、大容量で高速なアクセスが可能なハードディスクとすることができるが、機械的な部品が多いことによる寿命や故障の問題や消費電力の点からハードディスクより長寿命で故障が少なくアクセス速度の速いフラッシュメモリやバッテリバックアップメモリとするのが望ましい。本実施の形態では、バッテリの交換が不要なフラッシュメモリを採用している。
【００２１】
ここで、記憶手段３２に格納されるスケジュール情報について図３に基づいて詳細に説明する。スケジュール情報は、再生曜日情報および再生時間情報に映像ファイルを示す再生映像ファイル名情報が再生順に並べられた状態で関連付けられている。再生曜日情報は再生される曜日を示している。再生時間情報は再生される時間帯を示している。映像ファイル名情報は再生される映像ファイルを示している。図３に示す例では、日曜日から土曜日までの毎日の１０時台から２２時台まで「movie01.avi」〜「movie03.avi」が再生されるような設定となっている。
【００２２】
図１に示すように、テロップ再生手段３３は、記憶手段３２に格納されたテロップファイルを、映像管理手段３５の指示に基づいて再生し、表示装置２へ映像信号として出力する機能を備えている。
【００２３】
映像再生手段３４は、記憶手段３２に格納された映像ファイルを、映像管理手段３５の指示に基づいて再生し、表示装置２へ映像信号として出力する機能を備えている。
【００２４】
映像管理手段３５は、ＵＳＢメモリＭ１がＵＳＢポート３１に実装されたことを契機に、ＵＳＢメモリＭ１から映像ファイルを読み出して記憶手段３２に格納した後、スケジュールファイルに基づいてスケジュール情報を更新し、スケジュール情報に基づいて映像ファイルの再生を映像再生手段３４に指示する機能を備えている。また、映像管理手段３５は、ＵＳＢメモリＭ２が実装されると、テロップファイルを読み出して文字情報の再生をテロップ再生手段３３に指示する機能を備えている。
【００２５】
以上のように構成された本発明の実施の形態に係る映像表示装置の動作を、図面に基づいて説明する。図４は、ＵＳＢメモリに格納された各種ファイルを説明するための図である。図５は、再生スケジュール設定プログラムによる表示画面の一例を示す図である。図６は、テロップファイル設定プログラムによる表示画面の一例を示す図である。図７は、ＵＳＢメモリに格納された各種ファイルを説明するための図である。図８は、表示順序を説明するための図である。図９は、表示装置に表示されている映像を示す図であり、（Ａ）は更新前の映像を示す図、（Ｂ）は更新映像を示す図である。図１０は、更新されたスケジュール情報を示す図である。図１１（Ａ）〜同図（Ｅ）は、カウントダウン映像を示す図である。
【００２６】
なお、ＵＳＢメモリＭ１には、素材である映像ファイルが予め格納され、図１に示すパーソナルコンピュータＰのＵＳＢポートに実装されているものとする。ここで、ＵＳＢメモリＭ１に格納されている各種のファイルについて、図４に基づいて説明する。
【００２７】
映像ファイル格納用のＵＳＢメモリＭ１には、「ＡＶＩ」と、「ＴＨＵＭ」と、「ＴＩＭＥ」と「ＥＸＥ」との４つのフォルダが設けられている。「ＡＶＩ」フォルダには、映像ファイルがファイル名「movie04.avi」〜「movie06.avi」の名前で格納されている。この映像ファイルは、画面サイズが横２５６ピクセル、縦１２８ピクセルの無圧縮ＡＶＩ形式で作成された音声付きの動画ファイルで、この映像ファイルは、再生時間が約１０秒から約１５秒程度の広告用動画や告知用動画である。
【００２８】
「ＴＨＵＭ」フォルダには、「movie04.avi」〜「movie06.avi」に対応してサムネイル画像が「movie04.bmp」〜「movie06.bmp」の名前で格納されている。このサムネイル画像は、画面サイズが横６４ピクセル、縦４８ピクセルのビットマップ形式で作成された画像ファイルである。
【００２９】
「ＥＸＥ」フォルダには、「USB.txt」という設定ファイルが格納されている。この設定ファイルには、表示装置２の表示設定や、表示装置２の動作開始時間および動作終了時間などの動作設定が定義されている。また、「ＥＸＥ」フォルダには、更新映像である「update.bmp」とカウントダウン映像である「countdown.avi」が格納されている。更新映像は、動画であっても静止画であってもよい。
【００３０】
操作者は、このようなファイルが格納されたＵＳＢメモリＭ１を、パーソナルコンピュータＰのＵＳＢポートへ装着して、再生する映像ファイルの選択や、再生開始時期等を設定する。この設定は、パーソナルコンピュータＰ上で動作する再生スケジュール設定プログラムにより行われる。この再生スケジュール設定プログラムによる表示画面の一例を図５に示す。
【００３１】
再生スケジュール設定プログラムによる表示画面Ｇ１では、サムネイル表示エリアＡ１１と、プレビュー表示エリアＡ１２と、スケジュール設定エリアＡ１３とが表示されている。
【００３２】
サムネイル表示エリアＡ１１は、図４に示すＵＳＢメモリＭ１の「ＴＨＵＭ」フォルダ配下に格納されている「movie04.bmp」〜「movie06.bmp」の画像ファイルが、映像ファイルのサムネイルとして表示される領域である。
【００３３】
プレビュー表示エリアＡ１２は、このサムネイル表示エリアＡ１１に表示されている映像をプレビューするときに映像が表示される表示画面である。プレビューするときは、サムネイル表示エリアＡ１１に表示されているサムネイルの一つをマウスやタッチパッドなどで選択し、サムネイル表示エリアＡ１１の右上に位置する再生ボタンＢ１１をクリックする。
【００３４】
スケジュール設定エリアＡ１３は、映像ファイルの再生スケジュールを設定する領域である。再生スケジュールを設定するときには、まず、曜日選択バーＢ１２の「日」から「土」のいずれかの曜日ボタンＢ１３をクリックして、映像ファイルを再生する曜日を選択する。図５では「金」曜日ボタンＢ１３が選択されている。
【００３５】
次に、映像ファイルを再生したい時間を選択する。この時間の選択は、時間選択バーＢ１４の「００」〜「２３」のいずれかの位置をクリックすることで行うことができる。このクリックにより選択された時間が高輝度となる。図５では１２時が選択されている。
【００３６】
次に、金曜日の１２時に再生したい映像ファイルを選択する。この映像ファイルの選択は、まず、サムネイル表示エリアＡ１１に表示されているサムネイルをクリックする。このクリックによりサムネイルの周囲枠が黄色に変わることで、候補として選択されたことを操作者に示す。次に、スケジュール設定エリアＡ１３の再生リストエリアＡ１４を左上から枠内をクリックすることで、サムネイル表示エリアＡ１１で選択されたサムネイルと同じサムネイルが、再生リストエリアＡ１４に表示される。これで１つの映像ファイルの選択が完了する。
【００３７】
そして、サムネイル表示エリアＡ１１で再生する映像ファイルの候補を選択し、再生リストエリアＡ１４に順番に設定することを繰り返すことで、金曜日の１２時に再生したい映像ファイルの再生順序が決定する。
【００３８】
このようにして操作者は、１週間分の再生スケジュールを入力する。本実施の形態では、毎日の１２時台に「movie04.avi」〜「movie06.avi」を再生するように設定したものとする。
【００３９】
最後に、表示画面Ｇ１の右上に設けられた「保存」ボタンＢ１５をクリックすることで、スケジュール設定エリアＡ１３で設定された曜日を再生曜日情報とし、時間を再生時間情報とし、そして映像ファイルのファイル名を映像ファイル名情報として、それぞれが関連付けられ、スケジュールファイルとして、図４に示すＵＳＢメモリＭ１の「ＴＩＭＥ」フォルダ配下に「schedule.txt」というファイル名で格納される。
【００４０】
次に、テロップファイル生成プログラムによるテロップファイルの作成方法について、図６および図７に基づいて説明する。
【００４１】
テロップファイル設定プログラムは、再生スケジュール設定プログラムと同様に、パーソナルコンピュータＰ上で動作するプログラムである。図１に示すパーソナルコンピュータＰのＵＳＢポートへＵＳＢメモリＭ２を装着してテロップとしての文章や各種設定を入力する。
【００４２】
図６に示すテロップファイル設定プログラムによる表示画面Ｇ２では、文章入力エリアＡ２１と、テロップの表示位置や表示速度を調整する調整設定エリアＡ２２とが表示されている。操作者は、文章入力エリアＡ２１に表示させたい文章を入力する。この文章は設定情報として保存される。
【００４３】
そして、この文章が表示される位置を設定したい場合には、調整設定エリアＡ２２の「位置」ボタンＢ２１をクリックすることで「位置」ボタンＢ２１の下端から表示されるメニュー（図示せず）により表示パネルＳ（図１参照）の「最上段」，「最下段」，「上段」，「中段」，「下段」のいずれかを選択する。例えば、「最下段」が選択されたとすると、図６に示すように「位置」ボタンＢ２１の下に現在の設定状態である「最下段」が表示される。
【００４４】
以下、同様にして、外枠色、文字色、および表示速度を、「外枠」ボタンＢ２２、「文字」ボタンＢ２３、「速度」ボタンＢ２４により設定する。
外枠色の場合には「黒」，「赤」，「黄」，「青」，「紫」，「水色」，「白」の中から選択することができる。文字色の場合には「黒」，「赤」，「黄」，「青」，「紫」，「水色」，「白」の中から選択することができる。表示速度の場合には「普通」，「低速」，「高速」の中から選択することができる。これらは設定情報として保存される。
【００４５】
テロップとして表示される文章と各種の設定が完了すると、表示画面Ｇ２の右上にある「ＳＡＶＥ」ボタンＢ２５をクリックすることで、文字情報が図７に示すＵＳＢメモリＭ２の「ＴＥＸＴ」フォルダ配下に「text.txt」というファイル名で格納され、設定情報が「ＥＸＥ」フォルダ配下に「telop.txt」というファイル名で格納される。このようにしてＵＳＢメモリＭ２の内容を設定する。
【００４６】
次に、設定されたＵＳＢメモリＭ１を映像表示装置１へ実装して、映像ファイルを更新するときの映像表示装置１の動作を説明する。
【００４７】
まず、映像管理手段３５が、記憶手段３２に格納されたスケジュール情報（図３参照）に基づいて映像再生手段３４を介して表示装置２に表示していたとする。つまり、表示装置２では、図８に示すように金曜日の１０時から「movie01.avi」〜「movie03.avi」のファイル名で示される映像ファイルＡ〜Ｃが繰り返し表示されている。
【００４８】
そこへ操作者が１１時３０分頃にＵＳＢメモリＭ１をＵＳＢポート３１に実装すると、ＵＳＢメモリＭ１が実装されたことを示す通知がＵＳＢポート３１から映像管理手段３５へ通知される。
【００４９】
映像管理手段３５は、この通知を受けるとＵＳＢポート３１に実装されたＵＳＢメモリＭ１のファイル名を読み出す。映像管理手段３５は「ＥＸＥ」フォルダ配下に「USB.txt」があることを認識することで、実装されたＵＳＢメモリが映像ファイルが格納されたＵＳＢメモリＭ１であることを認識する。また、「ＥＸＥ」フォルダ配下に、更新映像である「update.bmp」およびカウントダウン映像である「countdown.avi」ファイルがあることで更新の動作を開始する。このように複数の特定のファイルがＵＳＢメモリ内に格納されていることが認識できないと動作しないようにすることでセキュリティレベルを向上させている。
【００５０】
映像管理手段３５は、ＵＳＢメモリＭ１を認識すると、「ＥＸＥ」フォルダ配下の「update.bmp」の再生を映像再生手段３４に指示する。指示された映像再生手段３４は、図９（Ａ）に示す再生中の映像ファイルＣの再生が完了した後に、同図（Ｂ）に示す更新映像を再生する。本実施の形態では、更新映像が静止画なので、映像管理手段３５がＵＳＢメモリＭ１内の映像ファイルを記憶手段３２へ格納している間、映像再生手段３４がこの静止画である更新映像を表示させておけばよいので、映像ファイル再生プログラムを動作させることで、映像ファイル再生装置３として機能するコンピュータの処理能力が高くなくても、映像ファイルの更新を行うことができる。
【００５１】
操作者は、この更新映像が表示装置２に表示されることで、ＵＳＢメモリＭ１に格納した映像ファイルが内部へ読み出されていることを認識することができる。この更新映像は、予め記憶手段３２に格納されたものでなく、ＵＳＢメモリＭ１に格納されたものを使用することで、容易に他の更新映像に変更することができる。
【００５２】
次に、映像管理手段３５は、スケジュールファイルの内容に基づいて記憶手段３２内のスケジュール情報を更新する。つまり、ＵＳＢメモリＭ１に格納されたスケジュールファイルでは、毎日の１２時台に映像ファイルＤ（movie04.avi）〜映像ファイルＦ（movie06.avi）を再生するように設定されているので、映像管理手段３５は、図１０に示すように、毎日の１２時台に格納されている再生映像ファイル名情報を映像ファイルＡ（movie01.avi）〜映像ファイルＣ（movie03.avi）から映像ファイルＤ（movie04.avi）〜映像ファイルＦ（movie06.avi）へ変更する。このようにスケジュール情報を更新することで簡単に映像ファイルの再生予定を変更することができる。
【００５３】
次に、映像管理手段３５は、ＵＳＢメモリＭ１の「ＡＶＩ」フォルダ配下から映像ファイルを読み出して記憶手段３２に格納する。
【００５４】
映像ファイルの格納が完了したら映像管理手段３５は、ＵＳＢメモリＭ１の「ＥＸＥ」フォルダ配下のカウントダウン映像である「countdown.avi」の再生を映像再生手段３４に指示する。これにより映像再生手段３４は、図１１（Ａ）〜同図（Ｅ）に示すように毎秒ごとに数字が少なくなる映像を表示装置２に表示する。
【００５５】
カウントダウン映像が表示装置２に表示されるので、操作者は、映像ファイルの更新が完了し、映像の表示が再開されることを認識することができる。例えば、映像ファイルの更新が短い時間で完了すると更新映像の再生時間も短くなる。すると操作者が更新映像を見逃してしまうと、ＵＳＢメモリＭ１の引き抜きタイミングを失ってしまうおそれがある。映像表示装置１では、カウントダウン映像が表示されるので、操作者に映像の更新が完了し、映像の再生が再開されることをしっかりと認識させることができる。
カウントダウン映像は、予め記憶手段３２に格納されたものでなく、ＵＳＢメモリＭ１に格納されたものを使用することで、容易に他の更新映像に変更することができる。
【００５６】
次に、映像管理手段３５は、記憶手段３２内のスケジュール情報を参照して、現時刻での再生すべき映像ファイルを判定して映像再生手段３４に指示する。この指示に基づいて映像再生手段３４は指定された映像ファイルを表示装置２へ表示する。
本実施の形態では、ＵＳＢメモリＭ１が実装された時刻が１１時３０分頃であり、更新された映像ファイルＤ（movie04.avi）〜映像ファイルＦ（movie06.avi）は１２時からの再生が設定されているので、映像管理手段３５は１１時の再生が設定されている映像ファイルＡ（movie01.avi）をまず再生し、順に映像ファイルＢ（movie02.avi），映像ファイルＣ（movie04.avi）と再生する。
【００５７】
更新映像とカウントダウン映像とが表示された後に、映像ファイルの表示が再開されたことで、操作者は映像ファイルが更新されたことを認識することができるので、安心して
ＵＳＢメモリＭ１を引き抜くことができる。
【００５８】
そして、時刻が１２時を過ぎると、映像管理手段３５は、記憶手段３２内のスケジュール情報を参照して、１２時台に予定されている映像ファイルＤ（movie04.avi）〜映像ファイルＦ（movie06.avi）の再生を映像再生手段３４に指示する。
【００５９】
このように、ＵＳＢメモリＭ１を映像表示装置１に実装するだけで、自動的に映像ファイルが読み込まれ、映像の更新を行うことができる。従って、映像表示装置１は、手を煩わせることなくＵＳＢメモリＭ１に記録された映像ファイルの再生が可能なので、高い利便性を図ることができる。
【００６０】
なお、本実施の形態では、再生スケジュール設定プログラムによる設定が、曜日と時間との両方について選択することができたが、曜日のみ、時間のみ、曜日および時間なしとすることができる。設定を曜日および時間なしとした場合には、記憶手段３２に格納された映像ファイルが常に繰り返し表示され、ＵＳＢメモリＭ１を実装することで映像ファイルが更新されると、更新映像およびカウントダウン映像の後に、更新された映像ファイルが即座に表示される。そうすることで、操作者は更新された映像ファイルを視認することができるので、より安心してＵＳＢメモリＭ１を引き抜くことができる。
【００６１】
次に、テロップファイルが格納されたＵＳＢメモリＭ２を映像表示装置１へ実装してテロップ情報を表示するときの動作を説明する。
操作者がＵＳＢメモリＭ２をＵＳＢポート３１に実装する。ＵＳＢメモリＭ２が実装されたことを示す情報がＵＳＢポート３１から映像管理手段３５へ通知される。映像管理手段３５は、「ＥＸＥ」フォルダ配下に「telop.txt」があることを認識することで、実装されたＵＳＢメモリが、テロップファイルが格納されたＵＳＢメモリＭ２であることを認識する。また、映像管理手段３５は、「ＴＥＸＴ」フォルダ配下に「text.txt」が格納されていることでテロップを表示するように制御していることと、映像ファイルの再生中でなければテロップ表示を行わないようにすることで、悪意のあるものが他のＵＳＢメモリを使用してテロップ表示させようとしても保護することができるので、セキュリティレベルを向上させることができる。つまり、正しいＵＳＢメモリＭ１でなければ映像ファイルの更新が不可であり、正しいＵＳＢメモリＭ２でなければテロップの表示ができないようになっている。
【００６２】
映像管理手段３５は、「ＴＥＸＴ」フォルダ配下の「text.txt」を読み込むことで文書情報が示す文書を、また、「ＥＸＥ」フォルダ配下の「telop.txt」を読み込むことで表示位置や表示速度などを示す設定情報に基づいてテロップ再生手段３３の再生を指示する。この指示により映像再生手段３４により表示されている映像に重畳してテロップが表示される。
【００６３】
例えば、イベント会場で迷子が発生した場合に、すぐにテロップとして流したい文章をテロップファイル設定プログラムによりＵＳＢメモリＭ２に設定して映像表示装置１へ実装するだけでテロップが表示されるので、迷子の発生に迅速に対応することができる。
そして、迷子が見つかるとＵＳＢメモリＭ２を引き抜く。この操作により映像管理手段３５はテロップの表示の中止をテロップ再生手段３３へ通知することで映像に重畳していたテロップの表示が終了する。つまり、テロップを表示させたい間だけＵＳＢメモリＭ２を実装しておくことで、テロップを流しているか否かの状態が表示装置２の表示パネルＳだけでなくＵＳＢメモリＭ２が実装されているか否かからも容易に判別することができる。
【００６４】
以上、本発明の実施の形態について説明してきたが、本発明は前記実施の形態に限定されるものではない。例えば、本実施の形態では、記録媒体としてＵＳＢメモリを使用しているが、記録媒体をＤＶＤ（Digital Versatile Disk）やＣＤ（Compact Disc）などの光ディスクとした場合にはＵＳＢポート３１の代わりに光ディスク装置とすることで、映像ファイルやテロップファイルの読み込みが可能となる。また、ＳＤカードやコンパクトフラッシュ（登録商標）などのメモリカードとした場合にはメモリカード読み取り装置とすることも可能である。
また、本実施の形態では、表示装置と映像ファイル再生装置とが一体となった映像表示装置を例に説明したが、表示装置と映像ファイル再生装置とが別体でもよい。
更に、本実施の形態で示したフォルダ名およびファイル名は一例であり、任意の名前とすることができる。また、映像ファイルやサムネイル画像などのファイル形式も一例であり、ファイル形式はｍｐｅｇやｊｐｅｇなどの動画または静止画の他のファイル形式としても問題はない。
【産業上の利用可能性】
【００６５】
本発明の映像ファイル再生装置は、再生される映像ファイルを容易に変更することが可能なので、街頭や店頭、イベント会場などに使用される大型の映像表示装置だけでなく、表示画面が小型のものでも好適である。
【図面の簡単な説明】
【００６６】
【図１】本発明の実施の形態に係る映像表示装置とパーソナルコンピュータとを示す図である。
【図２】本発明の実施の形態に係る映像表示装置の構成を示すブロック図である。
【図３】記憶手段に格納されたスケジュール情報を示す図である。
【図４】ＵＳＢメモリに格納された各種ファイルを説明するための図である。
【図５】再生スケジュール設定プログラムによる表示画面の一例を示す図である。
【図６】テロップファイル設定プログラムによる表示画面の一例を示す図である。
【図７】ＵＳＢメモリに格納された各種ファイルを説明するための図である。
【図８】表示順序を説明するための図である。
【図９】表示装置に表示されている映像を示す図であり、（Ａ）は更新前の映像を示す図、（Ｂ）は更新映像を示す図である。
【図１０】更新されたスケジュール情報を示す図である。
【図１１】（Ａ）〜（Ｅ）は、カウントダウン映像を示す図である。
【符号の説明】
【００６７】
１  映像表示装置
２  表示装置
３  映像ファイル再生装置
３１  ＵＳＢポート
３２  記憶手段
３３  テロップ再生手段
３４  映像再生手段
３５  映像管理手段
Ｍ１，Ｍ２  ＵＳＢメモリ
Ｐ  パーソナルコンピュータ
Ｓ  表示パネル
【図１】
2009225176.tif 000003
【図２】
2009225176.tif 000004
【図３】
2009225176.tif 000005
【図４】
2009225176.tif 000006
【図５】
2009225176.tif 000007
【図６】
2009225176.tif 000008
【図７】
2009225176.tif 000009
【図８】
2009225176.tif 000010
【図９】
2009225176.tif 000011
【図１０】
2009225176.tif 000012
【図１１】
2009225176.tif 000013